(57)【要約】【課題】  通信装置を有する記憶装置に記憶された情報に基づいてネットワークから付加的な情報を提供する。【解決方法】  ＲＦＩＤタグを用いた情報提供方法であって、ＲＦＩＤタグを有する商品を購入する際、該ＲＦＩＤタグに購入したことを示す情報を入力する段階と、通信装置と接続できるリーダライタによって購入した商品のＲＦＩＤタグに書き込まれている情報を取得する段階と、該ＲＦＩＤタグに書き込まれている情報と、該通信装置が有する固有番号を所定のサーバに送信する段階と、該情報に対応した付加的な情報を取得する段階と、を有する方法を提供する。【選択図】    図４
2006260469.tif 000002
【特許請求の範囲】
【請求項１】
ＲＦＩＤタグを用いた情報提供方法であって、
ＲＦＩＤタグを有する商品を購入する際、該ＲＦＩＤタグに購入したことを示す情報を入力する段階と、
通信装置と接続できるリーダライタによって購入した商品のＲＦＩＤタグに書き込まれている情報を取得する段階と、
該ＲＦＩＤタグに書き込まれている情報と、該通信装置が有する固有番号を所定のサーバに送信する段階と、
該情報に対応した付加的な情報を取得する段階と、
を有する方法。
【請求項２】
通信装置は携帯電話、ＰＨＳ、通信機能を有するＰＤＡ、通信機能を有するゲーム機、ネットワークに接続されたコンピュータのいずれかである請求項１に記載の方法。
【請求項３】
ＲＦＩＤタグに購入したことを示す情報は、購入者の有するリーダライタの固有番号、購入者の有する通信装置の固有番号のいずれかである請求項１または２に記載の方法。
【請求項４】
ＲＦＩＤタグからリーダライタで取得した情報は、購入したことを示す情報、該商品の識別番号、ＵＲＬ、電子メールアドレスのいずれか１つである請求項１ないし３に記載の方法。
【請求項５】
付加的な情報は該商品に関連した写真、音楽、宣伝用メッセージ、音声、携帯電話又はＰＨＳのための音楽情報のうちいずれかである請求項１ないし４に記載の方法。
【発明の詳細な説明】
【技術分野】
【０００１】
本発明はＲＦＩＤタグを用いて情報を提供するシステムに関する。
【背景技術】
【０００２】
現在、音楽等の分野ではＣＤ等を購入した客にアーチストに関する情報を提供するサービスが行われている。例えばＣＤに音楽以外の情報として、アーチストの写真やインターネットのＵＲＬを記録しておき、コンピュータ等で情報を閲覧することができる。
【発明の開示】
【発明が解決しようとする課題】
【０００３】
しかし、携帯電話やＰＨＳの普及に伴い新たな形態での情報提供サービスが望まれている。特に携帯電話やＰＨＳのような移動体通信機器ではディスプレイで画像や動画を見ることができる機能を有している。このような装置を用いて情報提供サービスを構築することによって客の購買意欲を増加させるなど、効果的な宣伝をすることができる。
【課題を解決するための手段】
【０００４】
上記のようなサービスを行うために、本発明はＲＦＩＤタグを用いた情報提供方法であって、ＦＩＤタグを有する商品を購入する際、該ＲＦＩＤタグに購入したことを示す情報を入力する段階と、信装置と接続できるリーダライタによって購入した商品のＲＦＩＤタグに書き込まれている情報を取得する段階と、該ＲＦＩＤタグに書き込まれている情報と、該通信装置が有する固有番号を所定のサーバに送信する段階と、該情報に対応した付加的な情報を取得する段階と、を有する方法を提供する。これによって新たな手段で情報を提供することができる。
【０００５】
このような方法を実現する装置として通信装置は携帯電話、ＰＨＳ、通信機能を有するＰＤＡ、通信機能を有するゲーム機、ネットワークに接続されたコンピュータのいずれかである。
【０００６】
さらに、ＲＦＩＤタグに購入したことを示す情報は、購入者の有するリーダライタの固有番号、購入者の有する通信装置の固有番号のいずれかである方法を提供でき、ＲＦＩＤタグからリーダライタで取得した情報は、購入したことを示す情報、該商品の識別番号、ＵＲＬ、電子メールアドレスのいずれか１つである。このようなシステムでは付加的な情報として該商品に関連した写真、音楽、宣伝用メッセージ、音声、携帯電話又はＰＨＳのための音楽情報のうちいずれかを提供できる。
【発明を実施するための最良の形態】
【０００７】
図１はＲＦＩＤタグ１を示した図である。該タグ１は通信用のアンテナ２とチップ部３からなり、チップ部３には情報を記憶する記憶部（図示しない）を有している。該チップ部３には電源は搭載されてなく、情報を記憶あるいは出力する時に使う電源は、リーダライタから供給される電波を用いて供給する。このようなしくみは当業者には既知である。以後の実施例ではこのようなＲＦＩＤタグ１を想定する。
【実施例１】
【０００８】
本実施例では例えば図２（ａ）に示されているようなキーホルダ７のような商品で情報を提供するサービスを想定する。ＲＦＩＤタグ１の情報を読み出すリーダライタ４は図３に示した。該リーダライタ４は携帯電話５と接続されており、互いに情報交換ができる。ユーザは例えば人気アーチストのキーホルダ７を購入し該キーホルダ７に埋め込まれているＲＦＩＤタグ１にリーダライタ５を近づけることによって情報を取得する。ＲＦＩＤタグ１には例えばホームページのアドレスが記憶されている。ユーザがキーホルダ７を購入すると、店はＲＦＩＤタグ１に購入したことを示す情報を書き込む。ユーザがリーダライタ４を該キーホルダ７にかざして情報を取得しようとすると、該リーダライタ４は購入したことを示す情報を確認して、携帯電話５にＵＲＬを転送する。携帯電話５は該ＵＲＬに対応する例えばホームページの情報を携帯電話５のディスプレイ６に表示する。
【０００９】
携帯電話５は既存の携帯電話でよく、図４に示したように基地局１１、キャリア１２を経由してサーバ１３に接続する。このようなシステムによって情報を提供できる。サーバ１３には様々な情報が記憶できることは当業者には既知である。例えば写真、音楽、宣伝用メッセージ、音声、携帯電話又はＰＨＳのための音楽情報としていわゆる「着メロ」と称される呼び出し用の音楽情報をサーバ１３に記憶させることができる。
【００１０】
またＲＦＩＤタグ１は形状も自由に変更できるため、例えば図２（ｂ）に示したようにＣＤ１４の中心部にＲＦＩＤタグ１を貼付することができる。さらに、上記のような方法で情報をユーザに提供することができる。
【００１１】
本実施例では多様な応用が可能である。例えば映画のチケットにＲＦＩＤタグ１を貼付し、購入者には出演者の情報を提供することができる。これは映画に限定されるものではなく、コンサートチケット、イベントのチケット、スポーツの観戦チケットなどに貼付して情報を提供することができる。また他の応用例としては、オリエンテーリングのような場合に、チェックポイントにＲＦＩＤタグ１を設置しており、これに参加者が各ポイントに到着すると自身のリーダライタ４でＲＦＩＤタグ１に例えば参加者名前、固有番号、現在時刻等を書き込む。このＲＦＩＤタグ１を主催者が回収し情報を取得して順位を付けるなどができる。
また、図３で示したように別体のリーダライタ４が携帯電話５に接続されているが、本発明はこれに限定されるものではなく、携帯電話５に内蔵されていてもよい。これは以下の実施例に対しても同様である。
【００１２】
本実施例は宗教的行事にも応用できる。例えば巡礼等ではＲＦＩＤタグ１に各地点における宗教的意味を有する情報を記憶させておき、参加者のリーダライタで各地点に到達後情報を読み込む。この情報を携帯電話５のディスプレー６に表示することによって宗教的な行事を行うことができる。
【実施例２】
【００１３】
本実施例ではＲＦＩＤタグ１を用いて情報を収集する例を説明する。一般に会社等では書類に印鑑を押すことで承認を示すことが行われる。しかしながら印鑑はコピーを製造することができるため、高いセキュリティが確保しにくい問題がある。本実施例ではこのように印鑑により承認を行うシステムに本発明を応用した例をしめす。
【００１４】
図５は書類９に印鑑８を押す状態を示した図である。本実施例では書類にＲＦＩＤタグ１が貼付され印鑑８にリーダライタ４（本図では図示しない）が内蔵されている。リーダライタ４は固有の番号を有している。以後本実施例では「電子印鑑」と称する。例えば任意の数字や、人名、各部署の部署名などである。承認を示す場合通常の印鑑と同様に電子印鑑８をＲＦＩＤタグ１に接触させるかまたは近づける。このときリーダライタ４は自動的にＲＦＩＤタグ１を検出しても良いし、電子印鑑８に設けられたスイッチ（図示しない）によってＲＦＩＤタグ１を検出するようにしても良い。
【００１５】
リーダライタ４はこのとき、ＲＦＩＤタグ１に前記情報を書き込む。この情報は当業者が任意に設定することができ、現在時刻等を含んでも良い。ＲＦＩＤタグ１は情報を記録できるため、各部署で電子印鑑８によりＲＦＩＤタグ１に情報を書き込むことによって従来の印鑑と同様に承認の記録を残すことができる。さらに、ＲＦＩＤタグ１は容易にコピーできないため印鑑が偽造されにくい安全性もある。
【図面の簡単な説明】
【００１６】
【図１】図１はＲＦＩＤタグを示した図である。
【図２】図２はキーホルダー、ＣＤにＲＦＩＤタグを貼付した図である。
【図３】図３はリーダライタが携帯電話に接続された図である。
【図４】図４は携帯電話のシステムを概略的に示した図である。
【図５】図５は書類に電子印鑑を押す状態を示した図である。
【符号の説明】
【００１７】
１  ＲＦＩＤタグ
２  アンテナ
３  チップ部
４  リーダライタ
５  携帯電話
６  ディスプレイ
７  キーホルダ
８  電子印鑑
９  書類
【図１】
2006260469.tif 000003
【図２】
2006260469.tif 000004
【図３】
2006260469.tif 000005
【図４】
2006260469.tif 000006
【図５】
2006260469.tif 000007